(57)【要約】【課題】ＰＩＤに依存することなく、監視員に負担をかけることなく、監視に必要なＰＩＤの一覧の絞込みが行えるプラント監視装置を提供することである。【解決手段】プロセス入力手段１１で入力されたプロセス状態量をプロセス入力点に付与されたプロセス信号識別子と共に状態量記憶手段１３に記憶する。一覧データ作成手段１２は状態量記憶手段１３に記憶されたプロセス状態量に基づきプラント状態を示す一覧データを作成し、入出力処理手段２６を介して対話装置３に表示出力する。汎用フィルタ手段２０は入出力処理手段２６を介して対話装置３からフィルタリング条件を受け取り、一覧データ作成手段１２で作成された一覧データの中からフィルタリング条件に合致するデータを抽出し、入出力処理手段２６を介して対話装置３に表示出力する。【選択図】  図１
2005032002.tif 000002
【特許請求の範囲】
【請求項１】
プラントの各所のプロセス状態量に基づいてプラントの監視を行うプラント監視装置において、プラントの各所のプロセス入力点からのプロセス状態量を入力するプロセス入力手段と、前記プロセス入力手段で入力されたプロセス状態量を前記プロセス入力点に付与されたプロセス信号識別子と共に記憶する状態量記憶手段と、前記状態量記憶手段に記憶されたプロセス状態量に基づきプラント状態を示す一覧データを作成する一覧データ作成手段と、前記一覧データ作成手段で作成された一覧データの中からフィルタリング条件に合致するデータを抽出する汎用フィルタ手段と、対話を行うための対話装置から前記フィルタリング条件を受け取り前記汎用フィルタ手段にそのフィルタリング条件を出力すると共に前記一覧データ作成手段で作成された一覧データと前記汎用フィルタ手段で抽出されたデータとを切り換えて前記対話装置に表示出力する入出力処理手段とを備えたことを特徴とするプラント監視装置。
【請求項２】
前記汎用フィルタ手段は、前記プロセス信号識別子に付随する説明文字列にワイルドカード文字を付加した検索キーに合致するデータを前記一覧データ作成手段で作成された一覧データから抽出する説明ワイルドカードフィルタ手段を備え、前記入出力処理手段は、前記フィルタリング条件として前記対話装置から前記検索キーを受け取り前記説明ワイルドカードフィルタ手段にその検索キーを出力すると共に前記一覧データ作成手段で作成された一覧データと前記説明ワイルドカードフィルタ手段で抽出されたデータとを切り換えて前記対話装置に表示出力することを特徴とする請求項１記載のプラント監視装置。
【請求項３】
前記汎用フィルタ手段は、前記フィルタリング条件として前記対話装置から入力されたプロセス状態量の単位に合致するデータを前記一覧データ作成手段で作成された一覧データから抽出する単位フィルタ手段を備え、前記入出力処理手段は、前記一覧データ作成手段で作成された一覧データと前記単位フィルタ手段で抽出されたデータとを切り換えて前記対話装置に表示出力することを特徴とする請求項１または請求項２記載のプラント監視装置。
【請求項４】
前記汎用フィルタ手段は、前記フィルタリング条件として前記対話装置から入力されたプロセス状態量のカテゴリに合致するデータを前記一覧データ作成手段で作成された一覧データから抽出するカテゴリフィルタ手段を備え、前記入出力処理手段は、前記一覧データ作成手段で作成された一覧データと前記カテゴリフィルタ手段で抽出されたデータとを切り換えて前記対話装置に表示出力することを特徴とする請求項１乃至請求項３のいずれか１項に記載の記載のプラント監視装置。
【請求項５】
前記汎用フィルタ手段は、前記フィルタリング条件として前記対話装置から入力されたプロセス状態量の値範囲に合致するデータを前記一覧データ作成手段で作成された一覧データから抽出する値フィルタ手段を備え、前記入出力処理手段は、前記一覧データ作成手段で作成された一覧データと前記値フィルタ手段で抽出されたデータとを切り換えて前記対話装置に表示出力することを特徴とする請求項１乃至請求項４記載のプラント監視装置。
【請求項６】
前記汎用フィルタ手段は、前記フィルタリング条件として前記対話装置から入力されたプロセス状態量の状態に合致するデータを前記一覧データ作成手段で作成された一覧データから抽出する状態フィルタ手段を備え、前記入出力処理手段は、前記一覧データ作成手段で作成された一覧データと前記状態フィルタ手段で抽出されたデータとを切り換えて前記対話装置に表示出力することを特徴とする請求項１乃至請求項５記載のプラント監視装置。
【請求項７】
前記対話装置を通した監視員からの要求でフィルタリング条件をフィルタリング条件ＤＢに登録すると共に、前記対話装置を通した監視員からの要求で前記フィルタリング条件ＤＢからフィルタリング条件を取得し前記汎用フィルタ手段に出力するフィルタリング条件登録管理手段を備えたことを特徴とする請求項１乃至請求項６のいずれか１項記載のプラント監視装置。
【請求項８】
前記監視員が使用したフィルタリング条件を自動的にフィルタリング条件ＤＢに登録すると共に、前記対話装置を通した監視員からの要求で前記フィルタリング条件ＤＢからフィルタリング条件を取得し前記汎用フィルタ手段に出力するフィルタリング条件履歴管理手段を備えたことを特徴とする請求項１乃至請求項６のいずれか１項記載のプラント監視装置。
【請求項９】
前記対話装置を通した監視員からの要求でフィルタリング条件を初期フィルタリング条件ＤＢに設定すると共に、一覧データ画面を開いた際の初期フィルタリング条件を前記初期フィルタリング条件ＤＢから取得して前記汎用フィルタ手段に出力する初期フィルタリング条件管理手段とを備えたことを特徴とする請求項１乃至請求項６のいずれか１項記載のプラント監視装置。
【請求項１０】
プラント状態から最適なフィルタリング条件を決定し前記対話装置を通して監視員に提示するフィルタリング条件提示手段を備えたことを特徴とする請求項１乃至請求項６のいずれか１項記載のプラント監視装置。
【請求項１１】
前記一覧データ作成手段から入力した一覧データを前記対話装置を通して監視員から指定された順序で並び替える一覧データソート手段を備えたことを特徴とする請求項１乃至請求項１０のいずれか１項記載のプラント監視装置。
【請求項１２】
前記プロセス入力手段よりのプロセス状態量に基づきプラント状態を示す系統図データを作成する系統図データ作成手段と、前記系統図データ作成手段から入力した系統図データを絞り込んで前記対話装置に出力する系統図フィルタ手段とを備えたことを特徴とする請求項１乃至請求項１１のいずれか１項記載のプラント監視装置。
【発明の詳細な説明】
【０００１】
【発明の属する技術分野】
本発明は、プラントの状態を監視するプラント監視装置に関する。
【０００２】
【従来の技術】
一般に、プラントの監視は監視用計算機を用いて行われ、プラント各所のプロセス入力点からプロセス状態量を入力して各種プロセス状態量を監視するようにしている。この場合、プロセス入力点毎に予めプロセス信号識別子（以下ＰＩＤという）を付与しておき、このＰＩＤ番号によりプロセス状態量を識別するようにしている。
【０００３】
そして、監視したいプロセス状態量を選択表示する際には、ＰＩＤを指定して表示するようにしたり、ＰＩＤが分からない場合には、ＰＩＤに関連する名称等を入力して必要なＰＩＤを検索し、ＰＩＤを指定するようにしている。
【０００４】
例えば、ＰＩＤが分からない場合、プロセス入力点設定用の初期画面を表示し、プロセス入力点の種別、設備番号、単位、名称等を設定して、プロセス入力点を抽出するようにしたものがある（例えば、特許文献１参照）。また、プラント入力点に関連する名称を入力してプロセス入力点を抽出するようにしたものもある（例えば、特許文献２参照）。
【０００５】
【特許文献１】
特開平５−１３３７７５号公報（図３）
【０００６】
【特許文献２】
特開２００２−３４１９３５号公報（図２）
【０００７】
【発明が解決しようとする課題】
しかしながら、従来のものでは、ＰＩＤが分からなくてもＰＩＤに関連する名称等からＰＩＤを検索することができるが、そのためには、検索画面を表示し所定の欄に所定の情報を入力しなければならない。また、入力した名称が含まれるＰＩＤがすべて検索されるので、検索結果には余分なＰＩＤが多く含まれる。
【０００８】
また、ＰＩＤの検索は監視する上で必要となったＰＩＤをその都度検索している。この場合、検索条件が同じ場合には同じ操作を行うことになり効率的でない。また、検索条件の設定を誤った場合には、異なった検索結果となってしまう。
【０００９】
本発明の目的は、ＰＩＤに依存することなく、また監視員に負担をかけることなく、監視に必要なＰＩＤの一覧の絞込みが行えるプラント監視装置を提供することである。
【００１０】
【課題を解決するための手段】
本発明に係わるプラント監視装置は、プラントの各所のプロセス入力点からのプロセス状態量を入力するプロセス入力手段と、前記プロセス入力手段で入力されたプロセス状態量を前記プロセス入力点に付与されたプロセス信号識別子と共に記憶する状態量記憶手段と、前記状態量記憶手段に記憶されたプロセス状態量に基づきプラント状態を示す一覧データを作成する一覧データ作成手段と、前記一覧データ作成手段で作成された一覧データの中からフィルタリング条件に合致するデータを抽出する汎用フィルタ手段と、監視員との対話を行うための対話装置から前記フィルタリング条件を受け取り前記汎用フィルタ手段にそのフィルタリング条件を出力すると共に前記一覧データ作成手段で作成された一覧データと前記汎用フィルタ手段で抽出されたデータとを切り換えて前記対話装置に表示出力する入出力処理手段とを備えたことを特徴とする。
【００１１】
前記汎用フィルタ手段は、前記フィルタリング条件としての前記プロセス信号識別子に付随する説明文字列にワイルドカード文字を付加した検索キーに合致するデータを前記一覧データ作成手段で作成された一覧データから抽出する説明ワイルドカードフィルタ手段、前記フィルタリング条件として前記対話装置から入力されたプロセス状態量の単位に合致するデータを前記一覧データ作成手段で作成された一覧データから抽出する単位フィルタ手段、前記フィルタリング条件として前記対話装置から入力されたプロセス状態量のカテゴリに合致するデータを前記一覧データ作成手段で作成された一覧データから抽出するカテゴリフィルタ手段、前記フィルタリング条件として前記対話装置から入力されたプロセス状態量の値範囲に合致するデータを前記一覧データ作成手段で作成された一覧データから抽出する値フィルタ手段、前記フィルタリング条件として前記対話装置から入力されたプロセス状態量の状態に合致するデータを前記一覧データ作成手段で作成された一覧データから抽出する状態フィルタ手段のうちの少なくとも一つ以上を有する。
【００１２】
また、必要に応じて、前記対話装置を通した監視員からの要求でフィルタリング条件をフィルタリング条件ＤＢに登録すると共に前記対話装置を通した監視員からの要求で前記フィルタリング条件ＤＢからフィルタリング条件を取得し前記汎用フィルタ手段に出力するフィルタリング条件登録管理手段、前記監視員が使用したフィルタリング条件を自動的にフィルタリング条件ＤＢに登録すると共に前記対話装置を通した監視員からの要求で前記フィルタリング条件ＤＢからフィルタリング条件を取得し前記汎用フィルタ手段に出力するフィルタリング条件履歴管理手段、前記対話装置を通した監視員からの要求でフィルタリング条件を初期フィルタリング条件ＤＢに設定すると共に一覧データ画面を開いた際の初期フィルタリング条件を前記初期フィルタリング条件ＤＢから取得して前記汎用フィルタ手段に出力する初期フィルタリング条件管理手段、プラント状態から最適なフィルタリング条件を決定し前記対話装置を通して監視員に提示するフィルタリング条件提示手段、前記一覧データ作成手段から入力した一覧データを前記対話装置を通して監視員から指定された順序で並び替える一覧データソート手段を備える。
【００１３】
また、必要に応じて、前記プロセス入力手段よりのプロセス状態量に基づきプラント状態を示す系統図データを作成する系統図データ作成手段と、前記系統図データ作成手段から入力した系統図データを絞り込んで前記対話装置に出力する系統図フィルタ手段とを備える。
【００１４】
【発明の実施の形態】
以下、本発明の実施の形態を説明する。図１は本発明の第１の実施の形態に係わるプラント監視装置のブロック構成図である。プラント１の各所に設けられた計測器などから得られるプロセス状態量は、プラント監視装置２のプロセス入力手段１１を介して状態量記憶手段１３に入力され記憶される。一覧データ作成手段１２は状態量記憶手段１３に記憶されたプロセス状態量に基づき、プロセス状態量のＩＤ、説明、値、単位、状態などのプラント状態を示す一覧データを作成し、入出力処理手段２６を介して対話装置３に表示出力すると共に、汎用フィルタ手段２０に出力する。
【００１５】
汎用フィルタ手段２０は、一覧データ作成手段１２で作成された一覧データの中からフィルタリング条件に合致するデータを抽出するものであり、第１の実施の形態では、説明ワイルドカードフィルタ手段１５を備えた場合を示している。説明ワイルドカードフィルタ手段１５の説明は後述する。
【００１６】
汎用フィルタ手段２０は、抽出した一覧データを入出力処理手段２６を介して対話装置３に表示出力する。一方、入出力処理手段２６は、監視員との対話を行うための対話装置３からのフィルタリング条件を汎用フィルタ手段２０に出力して、汎用フィルタ手段２０で抽出されたデータを対話装置３に表示出力する。すなわち、入出力処理手段２６は一覧データ作成手段１２で作成された一覧データと汎用フィルタ手段２０で抽出されたデータとを切り換えて対話装置３に表示出力する。
【００１７】
説明ワイルドカードフィルタ手段１５は、対話装置３から入出力処理手段２６を介して、プロセス入力点に付与されたプロセス信号識別子（ＰＩＤ）に付随する説明文字列にワイルドカード文字を付加した検索キーが入力されると、その検索キーに合致するデータを一覧データ作成手段１２で作成された一覧データから抽出するものである。
【００１８】
すなわち、説明ワイルドカードフィルタ手段１５は、対話装置３を通して監視員からＰＩＤに付随する説明語句などの文字列に対するワイルドカードを含む文字列を検索キーとして受け取る。検索キーを受け取ると、一覧データ作成手段１２から一覧データを入力し、説明語句がこの検索キーに合致するデータのみを抽出し対話装置３へと一覧出力する。
【００１９】
図２は第１の実施の形態における検索キーにより抽出されたデータのプロセス入力点一覧画面２０３の説明図である。このプロセス入力点一覧画面２０３は監視員が説明ワイルドカードとして“＊復水＊”を指定し、“フィルタリング”ボタンを押した状態で、このワイルドカード“＊復水＊”と合致するＰＩＤのプロセス値のみが一覧表示された場合を示している。
【００２０】
ここで、ワイルドカード文字“＊”は任意の文字列を表すワイルドカード文字である。すなわち、「復水」という説明語句の前後にワイルドカード文字“＊”が付与されているので、「復水」という語句の前後に文字列を含む説明文章がすべて抽出される。このため、“＊復水＊”に合致するＰＩＤに付随する説明文章などの文字列は、「復水」を真ん中に含むものであり、このようなフィルタリング条件を適用することで、復水に関するプロセス値のみを一覧表示できる。
【００２１】
このように、ワイルドカードの表現方法としては、ワイルドカード文字“＊”が任意の文字列を表し、また、ワイルドカード文字“？”は任意の１文字を表すものとすると、例えば、“復水？”とした場合には、“？”の部分が１文字に置き換わったもの（例えば復水器など）が抽出される。このようなワイルドカードの表現方法を使用してフィルタリング条件を使用するので、簡易的な表現や通常の正規表現などの語句を使用できる。
【００２２】
第１の実施の形態によれば、監視員はＰＩＤを知らなくても、プラント構成機器や信号種別などに絞った一覧表示を得ることができるので、監視員の負担が削減されると共に、記憶違いによる誤フィルタの可能性も削減される。また、既設物件のリプレースする場合などＰＩＤの番号体系を見直すことができない場合にも、効果を得ることができる。
【００２３】
図３は本発明の第２の実施の形態に係わるプラント監視装置のブロック構成図である。この第２の実施の形態は、図１に示した第１の実施の形態に対し、汎用フィルタ手段２０は、説明ワイルドカードフィルタ手段１５に代えて、対話装置３から入力されたプロセス状態量の単位に合致するデータを一覧データ作成手段１２で作成された一覧データから抽出する単位フィルタ手段１６を備え、入出力処理手段２６は、一覧データ作成手段１２で作成された一覧データと単位フィルタ手段１６で抽出されたデータとを切り換えて対話装置３に表示出力するようにしたものである。図１に示した第１の実施の形態と同一要素には同一符号を付し重複する説明は省略する。
【００２４】
汎用フィルタ手段２０の単位フィルタ手段１６は、対話装置３を通して監視員からプロセス入力点におけるプロセス状態量の単位を受け取り、一覧データ作成手段１２から入力した一覧データのうちこの単位に合致するもののみを対話装置３へと一覧出力する。
【００２５】
図４は第２の実施の形態におけるプロセス状態量の単位を指定して抽出されたデータのプロセス入力点一覧画面２０４の説明図である。このプロセス入力点一覧画面２０４は監視員が単位として“℃”を指定し、“フィルタリング”ボタンを押した状態で、この単位のプロセス値のみが一覧表示された場合を示している。このようなフィルタリング条件を適用することで、温度に関するプロセス値のみを一覧表示できる。
【００２６】
以上の説明では、単一の単位を入力する場合について説明したが、複数の単位を入力できるようにしたり、単位に対するワイルドカードを含む文字列を検索キーとして入力できるようにすることも可能である。これにより、よりきめの細かい絞込みが可能となる。
【００２７】
第２の実施の形態によれば、監視員はＰＩＤを知らなくても、信号種別に絞った一覧表示を得ることができるので、監視員の負担が削減される。また、入力を直接入力ではなく、一覧からの選択とすることで、記憶違いや入力ミスによる誤フィルタの可能性も削減される。また、既設物件のリプレースする場合などＰＩＤの番号体系を見直すことができない場合にもＰＩＤの検索を容易に行える。
【００２８】
図５は、本発明の第３の実施の形態に係わるプラント監視装置のブロック構成図である。この第３の実施の形態は、図１に示した第１の実施の形態に対し、汎用フィルタ手段２０は、説明ワイルドカードフィルタ手段１５に代えて、対話装置３から入力されたプロセス状態量のカテゴリに合致するデータを一覧データ作成手段１２で作成された一覧データから抽出するカテゴリフィルタ手段１７を備え、入出力処理手段２６は、一覧データ作成手段１２で作成された一覧データとカテゴリフィルタ手段１７で抽出されたデータとを切り換えて対話装置３に表示出力するようにしたものである。図１に示した第１の実施の形態と同一要素には同一符号を付し重複する説明は省略する。
【００２９】
カテゴリフィルタ手段１７は、対話装置３を通して監視員からカテゴリを受け取り、一覧データ作成手段１２から入力した一覧データのうち、このカテゴリに合致するもののみを対話装置３へと一覧出力する。
【００３０】
図６はプロセス状態量のカテゴリの指定がなくすべてのプロセス値が一覧表示されたプロセス入力点一覧画面２０５ａの説明図であり、図７はプロセス状態量のカテゴリを指定して抽出されたデータのプロセス入力点一覧画面２０５ｂの説明図である。
【００３１】
図６のプロセス入力点一覧画面２０５ａでは、カテゴリが何も指定されておらず、すべてのプロセス値が一覧表示されている。各プロセス値にはあらかじめカテゴリが定義されている。一方、図７のプロセス入力点一覧画面２０５ｂは、監視員がカテゴリとして“タービン６温度”を指定し、“フィルタリング”ボタンを押した状態で、そのカテゴリのプロセス値のみが一覧表示された場合を示している。このようなフィルタリング条件を適用することで、”タービン６の温度”に関するプロセス値のみを一覧表示できる。
【００３２】
以上の説明では、単一のカテゴリを入力する場合について説明したが、複数のカテゴリを入力できるようにしたり、カテゴリに対するワイルドカードを含む文字列を検索キーとして入力できるようにすることも可能である。これにより、よりきめの細かい絞込みが可能となる。また、１種別のカテゴリしか設けていないが、プラント機器種別に関するカテゴリと重要度に関するカテゴリなど複数の種別のカテゴリを設けることで、よりきめの細かい絞込みが可能である。
【００３３】
第３の実施の形態によれば、監視員はＰＩＤを知らなくても、カテゴリとして定義されている種別に絞った一覧表示を得ることができるので、監視員の負担が削減される。また、入力を直接入力ではなく一覧からの選択とすることで、記憶違いや入力ミスによる誤フィルタの可能性も削減される。また、既設物件のリプレースをする場合などＰＩＤの番号体系を見直すことができない場合にもＰＩＤの検索を容易に行える。
【００３４】
図８は、本発明の第４の実施の形態に係わるプラント監視装置のブロック構成図である。この第４の実施の形態は、図１に示した第１の実施の形態に対し、汎用フィルタ手段２０は、説明ワイルドカードフィルタ手段１５に代えて、対話装置３から入力されたプロセス状態量の値範囲に合致するデータを一覧データ作成手段１２で作成された一覧データから抽出する値フィルタ手段１８を備え、入出力処理手段は、一覧データ作成手段で作成された一覧データと値フィルタ手段１８で抽出されたデータとを切り換えて対話装置３に表示出力するようにしたものである。図１に示した第１の実施の形態と同一要素には同一符号を付し重複する説明は省略する。
【００３５】
値フィルタ手段１８は、対話装置３を通して監視員から値範囲を受け取り、一覧データ作成手段１２から入力した一覧データのうちプロセス状態量の値がこの値範囲に合致するもののみを対話装置３へと一覧出力する。
【００３６】
図９は、第４の実施の形態におけるプロセス状態量の値範囲を指定して抽出されたデータのプロセス入力点一覧画面２０６の説明図である。このプロセス入力点一覧画面２０６は、監視員が値範囲として“＞１００”を指定し、“フィルタリング”ボタンを押した状態で、プロセス値がこの条件を満たすもののみが一覧表示された場合を示している。このようなフィルタリング条件を適用することで、プロセス値が１００よりも大きいもののみを一覧表示できる。
【００３７】
以上の説明では、単一の値範囲を入力する場合について説明したが、論理式を入力できるようにすることで、よりきめの細かい絞込みが可能である。また、数値を直接指定した場合について説明したが、プロセス状態量の値ごとに上限や下限などとしてあらかじめ定義しておいた閾値や、動的に変化する他プロセス状態量の値を閾値などとし、この閾値を“ＭＡＸ”や“ＭＩＮ”などのシンボルで表現できるようにしても良い。これにより、より意味のある絞込みが可能である。
【００３８】
第４の実施の形態によれば、監視員はＰＩＤやプロセス値の特性を知らなくても、異常値を示しているプロセス値の一覧表示を得ることができるので、監視員の負担が削減される。
【００３９】
図１０は、本発明の第５の実施の形態に係わるプラント監視装置のブロック構成図である。この第５の実施の形態は、図１に示した第１の実施の形態に対し、汎用フィルタ手段２０は、説明ワイルドカードフィルタ手段１５に代えて、対話装置３から入力されたプロセス状態量の状態に合致するデータを一覧データ作成手段１２で作成された一覧データから抽出する状態フィルタ手段１９を備え、入出力処理手段２６は、一覧データ作成手段１２で作成された一覧データと状態フィルタ手段１９で抽出されたデータとを切り換えて対話装置３に表示出力するようにしたものである。図１に示した第１の実施の形態と同一要素には同一符号を付し重複する説明は省略する。
【００４０】
状態フィルタ手段１９は、対話装置３を通して監視員から状態を受け取り、一覧データ作成手段１２から入力した一覧データのうちプロセス状態量の値がこの状態に合致するもののみを対話装置３へと一覧出力する。
【００４１】
図１１は、第５の実施の形態におけるプロセス状態量の状態を指定して抽出されたデータのプロセス入力点一覧画面２０７の説明図である。このプロセス入力点一覧画面２０７は、監視員が状態として“故障”を指定し、“フィルタリング”ボタンを押した状態で、プロセス値の状態がこの状態であるもののみが一覧表示された場合を示している。このようなフィルタリング条件を適用することで、センサーが故障しているもののみを一覧表示できる。ここで、状態としては、故障に加え、上限逸脱、データ挿入中、警報抑止中なども指定できる。
【００４２】
以上の説明では、単一の状態を入力する場合について説明したが、複数の状態の成立や不成立を組合わせて入力できるようにしても良い。これにより、よりきめの細かい絞込みが可能である。
【００４３】
第５の実施の形態によれば、監視員はＰＩＤやプロセス値の特性を知らなくても、特殊な状態にあるプロセス値の一覧表示を得ることができるので、監視員の負担が削減される。また、入力を直接入力ではなく、一覧からの選択とすることで、記憶違いや入力ミスによる誤フィルタの可能性も削減される。また、従来においては、このような特殊状態にあるプロセス状態量の値の一覧画面の一部は、専用画面として提供されていたが、この第５の実施の形態によれば、一つの一覧画面に集約されるので、画面数の削減や操作方法の統一が図れ、システムの開発量が削減されると共に監視員の負担も削減される。
【００４４】
図１２は、本発明の第６の実施の形態に係わるプラント監視装置のブロック構成図である。この第６の実施の形態は、図１に示した第１の実施の形態に対し、汎用フィルタ手段２０は、説明ワイルドカードフィルタ手段１５に加え、ＰＩＤワイルドカードフィルタ手段１４と、単位フィルタ手段１６と、カテゴリフィルタ手段１７と、値フィルタ手段１８と、状態フィルタ手段１９とを追加して設け、対話装置３から各々のフィルタ手段でのフィルタリング条件を組み合わせて全体としてのフィルタリング条件を設定できるようにしたものである。図１に示した第１の実施の形態と同一要素には同一符号を付し重複する説明は省略する。
【００４５】
説明ワイルドカードフィルタ手段１５は、第１の実施の形態で述べたように、対話装置３から入出力処理手段２６を介して、プロセス入力点に付与されたＰＩＤに付随する説明文字列にワイルドカード文字を付加した検索キーを入力し、その検索キーに合致するデータを一覧データ作成手段１２で作成された一覧データから抽出するものである。
【００４６】
ＰＩＤワイルドカードフィルタ手段１４は、対話装置３を通して監視員からＰＩＤに対するワイルドカードを含む文字列を検索キーとして受け取り、一覧データ作成手段１２からデータを入力して、ＰＩＤがこの検索キーに合致するデータのみを対話装置３に一覧出力するものである。説明ワイルドカードフィルタ手段１５との相違は、ＰＩＤに付随する説明文字列ではなく、ＰＩＤ自体を表す文字列を検索キーとするものである。
【００４７】
単位フィルタ手段１６は、第２の実施の形態で述べたように、対話装置３を通して監視員からプロセス入力点におけるプロセス状態量の単位を受け取り、一覧データ作成手段１２から入力した一覧データのうちこの単位に合致するもののみを対話装置３へと一覧出力するものである。
【００４８】
カテゴリフィルタ手段１７は、第３の実施の形態で述べたように、対話装置３を通して監視員からカテゴリを受け取り、一覧データ作成手段１２から入力した一覧データのうちこのカテゴリに合致するもののみを対話装置３へと一覧出力するものである。
【００４９】
値フィルタ手段１８は、第４の実施の形態で述べたように、対話装置３を通して監視員から値範囲を受け取り、一覧データ作成手段１２から入力した一覧データのうちプロセス状態量の値がこの値範囲に合致するもののみを対話装置３へと一覧出力するものである。
【００５０】
状態フィルタ手段１９は、第５の実施の形態で述べたように、対話装置３を通して監視員から状態を受け取り、一覧データ作成手段１２から入力した一覧データのうちプロセス状態量の値がこの状態に合致するもののみを対話装置３へと一覧出力するものである。
【００５１】
図１３は、第６の実施の形態におけるプロセス状態量のファイリング条件を指定して抽出されたデータのプロセス入力点一覧画面２０８の説明図である。このプロセス入力点一覧画面２０８は、監視員がＰＩＤワイルドカードとして“全部”、説明ワイルドカードとして“温度”、単位として“全部”、カテゴリとして“タービン６発電”、値範囲として“全部”、状態として“上限逸脱”を指定し、“フィルタリング”ボタンを押した状態で、各フィルタリング条件に合致するプロセス状態量の値のみが一覧表示された場合を示している。
【００５２】
このようなフィルタリング条件を適用することで、例えば、“タービンの発電”に関する各種“温度”のうち“上限逸脱”状態にあるプロセス値のみを一覧表示できることができるようになる。以上の説明では、各フィルタリング条件に合致するかの論理積により一覧表示されるようにした場合について説明したが、論理和や否定なども指定できるようにすることで、よりきめの細かい絞込みが可能である。また、以上の説明では、汎用フィルタ手段２０は、説明ワイルドカードフィルタ手段１５と、ＰＩＤワイルドカードフィルタ手段１４と、単位フィルタ手段１６と、カテゴリフィルタ手段１７と、値フィルタ手段１８と、状態フィルタ手段１９とを備えた場合について説明したが、これらの各フィルタ手段を適宜組み合わせて汎用フィルタ手段２０を構成するようにしても良い。
【００５３】
第６の実施の形態によれば、監視員はＰＩＤやプロセス値の特性を知らなくても、各種種別だけに絞った特殊な状態にあるプロセス値の一覧表示を得ることができるので、監視員の負担が削減される。また、入力を直接入力ではなく、一覧からの選択とすることで、記憶違いや入力ミスによる誤フィルタの可能性も削減される。
【００５４】
図１４は、本発明の第７の実施の形態に係わるプラント監視装置のブロック構成図である。この第７の実施の形態は、図１２に示した第６の実施の形態に対し、フィルタリング条件を登録するためのフィルタリング条件ＤＢ５１を設け、対話装置３を通した監視員からの要求でフィルタリング条件をフィルタリング条件ＤＢ５１に登録すると共に、対話装置３を通した監視員からの要求でフィルタリング条件ＤＢ５１からフィルタリング条件を取得し汎用フィルタ手段２０に出力するフィルタリング条件登録管理手段２１を備えたものである。なお、図１４では、汎用フィルタ手段２０の説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９の図示を省略している。図１２に示した第６の実施の形態と同一要素には同一符号を付し重複する説明は省略する。
【００５５】
フィルタリング条件ＤＢ５１には、汎用フィルタ手段２０の各フィルタ手段のフィルタリング条件の集合が記憶される。汎用フィルタ手段２０は、一覧データ作成手段１２から入力した一覧データをフィルタリング条件ＤＢ５１に記憶されたフィルタリング条件を用いて絞り込んで対話装置３へと一覧出力する。
【００５６】
フィルタリング条件登録管理手段２１は、対話装置３を通した監視員からの要求でフィルタリング条件をフィルタリング条件ＤＢ５１に登録し、汎用フィルタ手段２０は、対話装置３を通した監視員からの要求でフィルタリング条件ＤＢ５１からフィルタリング条件を取得し、一覧データ作成手段１２から入力した一覧データをそのフィルタリング条件で絞り込んで対話装置３へと一覧出力する。
【００５７】
図１５は、第７の実施の形態におけるプロセス入力点一覧画面２０９の説明図であり、図１６は第７の実施の形態におけるフィルタリング条件管理画面２５１の説明図である。
【００５８】
図１５のプロセス入力点一覧画面２０９では、フィルタリング条件として、ＰＩＤワイルドカード、説明ワイルドカード、単位、カテゴリ、値範囲、状態のいずれも全部が設定されたときのフィルタリング条件に合致するプロセス状態量の値が一覧表示された場合を示している。
【００５９】
このプロセス入力点一覧画面２０９でフィルタリング条件を登録設定する場合には、まず、監視員は、図１５のプロセス入力点一覧画面２０９で“管理”ボタンを押す。これにより、図１６のフィルタリング条件管理画面２５１が開く。フィルタリング条件管理画面２５１では、フィルタリング条件ＤＢ５１に登録されているフィルタリング条件が表形式で一覧表示されており、表上で各条件を編集することができるようになっている。なお、名称はフィルタリング条件ではなく、監視員がフィルタリング条件を識別するための名称である。
【００６０】
以下、フィルタリング条件登録管理手段２１で行われる演算処理について説明する。フィルタリング条件管理画面２５１の“新規追加”ボタンを押すことで、新たなフィルタリング条件がフィルタリング条件ＤＢ５１に追加され、画面の表上にも行が追加され、これにより、表上で各条件を編集することができるようになっている。また、フィルタリング条件管理画面２５１の表上で適当な行を選択し、“削除”ボタンを押すことで、対応するフィルタリング条件がフィルタリング条件ＤＢ５１から削除され画面の表上から行が削除される。また、フィルタリング条件管理画面２５１の表上で適当な行を選択し、“ＯＫ”ボタンを押すことで、対応するフィルタリング条件がプロセス入力点一覧画面２０９に設定され、フィルタリング条件管理画面２５１は閉じる。
【００６１】
監視員は、プロセス入力点一覧画面２０９に設定されたフィルタリング条件を必要に応じて見直した上で、“フィルタリング”ボタンを押すことで、このフィルタリング条件によって絞り込まれた一覧表示を得ることができる。また、フィルタリング条件管理画面２５１の“キャンセル”ボタンを押すことで、プロセス入力点一覧画面２０９に設定されているフィルタリング条件を変更することなく、フィルタリング条件管理画面２５１は閉じる。
【００６２】
以上の説明では、汎用フィルタ手段２０として、説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９を有したものを示したが、これらのうちから２以上のフィルタ手段を選んで組み合わせるようにしても良いし、他のフィルタ手段を用いることも可能である。
【００６３】
また、プロセス入力点一覧画面２０９とは、別の画面であるフィルタリング条件管理画面２５１でフィルタリング条件の登録や取得を行うようになっているが、プロセス入力点一覧画面２０９からフィルタリング条件の登録や取得を直接行えるようにすることも可能である。また、フィルタリング条件ＤＢ５１としては、各マシンローカルのＨＤＤ（Ｈａｒｄ  Ｄｉｓｋ  Ｄｒｉｖｅ）などの分散された記憶媒体、ネットワークにより接続されたサーバマシン上のＨＤＤなどの集中管理された記憶媒体、ＦＤＤ（Ｆｌｅｘｉｂｌｅ  Ｄｉｓｋ  Ｄｒｉｖｅ）などの可搬性のある記憶媒体などを用いることが可能である。
【００６４】
第７の実施の形態によれば、監視員は使用頻度の高いフィルタリング条件をあらかじめ登録しておき、必要な際にはそれを取得することができるので、監視員の負担が削減されると共に、フィルタリング条件を誤設定する可能性も削減される。
【００６５】
図１７は、本発明の第８の実施の形態に係わるプラント監視装置のブロック構成図である。この第８の実施の形態は、図１２に示した第６の実施の形態に対し、監視員が使用したフィルタリング条件を登録するためのフィルタリング条件ＤＢ５１を設け、対話装置３を通した監視員からの要求でフィルタリング条件ＤＢ５１からフィルタリング条件を取得し汎用フィルタ手段２０に出力するフィルタリング条件履歴管理手段２２を備えたものである。なお、図１７では、汎用フィルタ手段２０の説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９の図示を省略している。図１２に示した第６の実施の形態と同一要素には同一符号を付し重複する説明は省略する。
【００６６】
フィルタリング条件ＤＢ５１には、汎用フィルタ手段２０の各フィルタ手段のフィルタリング条件の集合が記憶される。汎用フィルタ手段２０は、一覧データ作成手段１２から入力した一覧データをフィルタリング条件を用いて絞り込んで対話装置３へと一覧出力する。
【００６７】
フィルタリング条件履歴管理手段２２は、監視員が過去に使用したフィルタリング条件を自動的にフィルタリング条件ＤＢ５１に登録し、対話装置３を通した監視員からの要求でフィルタリング条件ＤＢ５１からフィルタリング条件を取得する。
【００６８】
図１８は、第８の実施の形態におけるプロセス入力点一覧画面２１０の説明図であり、図１９は第８の実施の形態におけるフィルタリング条件履歴画面２５２の説明図である。図１８のプロセス入力点一覧画面２１０では、フィルタリング条件として、ＰＩＤワイルドカード、説明ワイルドカード、単位、カテゴリ、値範囲、状態のいずれも全部が設定されたときのフィルタリング条件に合致するプロセス状態量の値が一覧表示された場合を示している。
【００６９】
以下、フィルタリング条件履歴管理手段２２で行われる演算処理について説明する。監視員が図１８のプロセス入力点一覧画面２１０でフィルタリング条件を設定し、“フィルタリング”ボタンを押すと、このフィルタリング条件によって絞り込まれた一覧表示を得ることができると共に，このフィルタリング条件がフィルタリング条件ＤＢ５１に追加される。
【００７０】
また、プロセス入力点一覧画面２１０で“履歴”ボタンを押すと、図１９のフィルタリング条件履歴画面２５２が開く。フィルタリング条件履歴画面２５２では、フィルタリング条件ＤＢ５１に登録されているフィルタリング条件が表形式で一覧表示されている。
【００７１】
フィルタリング条件履歴画面２５２の表上で適当な行を選択し、“ＯＫ”ボタンを押すことで、対応するフィルタリング条件がプロセス入力点一覧画面２１０に設定され、フィルタリング条件履歴画面２５２は閉じる。監視員は、プロセス入力点一覧画面２１０に設定されたフィルタリング条件を必要に応じて見直した上で、“フィルタリング”ボタンを押すことで、このフィルタリング条件によって絞り込まれた一覧表示を得ることができる。
【００７２】
また、フィルタリング条件履歴画面２５２の“キャンセル”ボタンを押すことで、プロセス入力点一覧画面２１０に設定されているフィルタリング条件を変更することなく、フィルタリング条件履歴画面２５２は閉じる。
【００７３】
以上の説明では、汎用フィルタ手段２０として、説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９を有したものを示したが、これらのうちから２以上のフィルタ手段を選んで組み合わせるようにしても良いし、他のフィルタ手段を用いることも可能である。
【００７４】
また、プロセス入力点一覧画面２１０とは別の画面であるフィルタリング条件履歴画面２５２でフィルタリング条件の取得を行うようになっているが、プロセス入力点一覧画面から取得を直接行えるようにすることも可能である。また、フィルタリング条件ＤＢ５１としては、各マシンローカルのＨＤＤなどの分散された記憶媒体、ネットワークにより接続されたサーバマシン上のＨＤＤなどの集中管理された記憶媒体、ＦＤＤなどの可搬性のある記憶媒体などを用いることができる。
【００７５】
第８の実施の形態によれば、監視員は過去に用いたフィルタリング条件を再度用いたい場合には、それを取得することができるので、監視員の負担が削減されると共に、フィルタリング条件を誤設定する可能性も削減される。
【００７６】
図２０は、本発明の第９の実施の形態に係わるプラント監視装置のブロック構成図である。この第９の実施の形態は、図１２に示した第６の実施の形態に対し、対話装置３を通した監視員からの要求でフィルタリング条件を登録するための初期フィルタリング条件ＤＢ５２を設け、一覧データ画面を開いた際の初期フィルタリング条件を初期フィルタリング条件ＤＢ５２から取得して汎用フィルタ手段２０に出力する初期フィルタリング条件管理手段２３を備えたものである。なお、図２０では、汎用フィルタ手段２０の説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９の図示を省略している。図１２に示した第６の実施の形態と同一要素には同一符号を付し重複する説明は省略する。
【００７７】
初期フィルタリング条件ＤＢ５２には汎用フィルタ手段２０のフィルタリング条件が格納されている。汎用フィルタ手段２０は、一覧データ作成手段１２から入力した一覧データを初期フィルタリング条件ＤＢ５２に格納されたフィルタリング条件を用いて絞り込んで対話装置３へと一覧出力する。
【００７８】
初期フィルタリング条件管理手段２３は、対話装置３を通した監視員からの要求でフィルタリング条件を初期フィルタリング条件ＤＢ５２に設定し、一覧画面を開いた際の初期フィルタリング条件を初期フィルタリング条件ＤＢ５２から取得する。
【００７９】
図２１は、第９の実施の形態におけるプロセス入力点一覧画面２１１の説明図である。図１８のプロセス入力点一覧画面２１０では、フィルタリング条件として、ＰＩＤワイルドカード、説明ワイルドカード、単位、カテゴリ、値範囲、状態のいずれも全部が設定されたときのフィルタリング条件に合致するプロセス状態量の値が一覧表示された場合を示している。
【００８０】
以下、初期フィルタリング条件管理手段２３で行われる演算処理について説明する。監視員がプロセス入力点一覧画面２１１でフィルタリング条件を設定し、“初期設定”ボタンを押すと、このフィルタリング条件が初期フィルタリング条件ＤＢ５２に設定される。監視員が次回の操作の時に、プロセス入力点一覧画面２１１を開いた際には、初期フィルタリング条件ＤＢ５２に設定されたフィルタリング条件がプロセス入力点一覧画面２１１の初期フィルタリング条件として設定され、この初期フィルタリング条件によって絞り込まれた一覧表示を得ることができる。
【００８１】
以上の説明では、汎用フィルタ手段２０として、説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９を有したものを示したが、これらのうちから２以上のフィルタ手段を選んで組み合わせるようにしても良いし、他のフィルタ手段を用いることも可能である。
【００８２】
また、プロセス入力点一覧画面２１１で初期フィルタリング条件の設定を行うようになっているが、別の画面にて設定を行えるようにすることもできる。また、初期フィルタリング条件ＤＢ５２としては、各マシンローカルのＨＤＤなどの分散された記憶媒体、ネットワークにより接続されたサーバマシン上のＨＤＤなどの集中管理された記憶媒体、ＦＤＤなどの可搬性のある記憶媒体などを用いることができる。
【００８３】
第９の実施の形態によれば、監視員は初期フィルタリング条件を使用頻度の高いものに変更することができるので、監視員の負担が削減されると共に、フィルタリング条件を誤設定する可能性も削減される。
【００８４】
図２２は、本発明の第１０の実施の形態に係わるプラント監視装置のブロック構成図である。この第９の実施の形態は、図１２に示した第６の実施の形態に対し、プラント状態から最適なフィルタリング条件を決定し対話装置３を通して監視員にそのフィルタリング条件を提示するフィルタリング条件提示手段を備えたものである。なお、図２２では、汎用フィルタ手段２０の説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９の図示を省略している。図１２に示した第６の実施の形態と同一要素には同一符号を付し重複する説明は省略する。
【００８５】
フィルタリング条件提示手段２４は、状態量記憶手段１３に記憶されたプロセス状態量に基づいてプラント状態を判定し、その判定したプラント状態から最適なフィルタリング条件を決定し対話装置３を通して監視員に提示する。
【００８６】
図２３は第１０の実施の形態におけるプロセス入力点一覧画面２１２の説明図である。例えば、タービントリップを示すプロセス値入力があったとする。フィルタリング条件提案手段２４はプロセス入力手段１１よりこのプロセス値入力を受け、タービンに関する情報に絞って一覧表示できるようなフィルタリング条件を、プロセス入力点一覧画面２１２にて提案する。監視員は“提案採用”ボタンを押すことで、この提案されたフィルタリング条件によって絞り込まれた一覧表示を得ることができる。
【００８７】
以上の説明では、汎用フィルタ手段２０として、説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９を有したものを示したが、これらのうちから２以上のフィルタ手段を選んで組み合わせるようにしても良いし、他のフィルタ手段を用いることも可能である。また、以上の説明では、提案の要因としてプロセス値入力を示したが、時間や季節、監視員の操作などを要因とすることもできる。
【００８８】
第１０の実施の形態によれば、監視員はプラント状態に応じたフィルタリング条件が提示され、それを使用することができるので、監視員の負担が削減される。
【００８９】
図２４は、本発明の第１１の実施の形態に係わるプラント監視装置のブロック構成図である。この第１１の実施の形態は、図１２に示した第６の実施の形態に対し、一覧データ作成手段１２から入力した一覧データを対話装置３を通して監視員から指定された順序で並び替える一覧データソート手段２５を設けたものである。なお、図２４では、汎用フィルタ手段２０の説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９の図示を省略している。図１２に示した第６の実施の形態と同一要素には同一符号を付し重複する説明は省略する。
【００９０】
一覧データソート手段２５は、一覧データ作成手段１２から入力した一覧データを対話装置３を通して監視員から指定された順序で対話装置３へと一覧出力する。図２５は、第１１の実施の形態におけるプロセス入力点一覧画面２１２の説明図であり、図２６は第１１の実施の形態におけるソート設定画面２５３の説明図である。以下、一覧データソート手段２５で行われる演算処理について説明する。
【００９１】
監視員が図２５のプロセス入力点一覧画面２１２で“ソート”ボタンを押すと、図２６のソート設定画面２５３が開く。ソート設定画面２５３では、ソートの基準となる項目と方向とが表形式で一覧表示されており、表上で項目や方向を編集することができる。項目としては、プロセス入力点一覧画面２１２で表示対象となっているＰＩＤ、説明、値、単位、状態を選択することができる。方向としては昇順か降順を選択することができる。
【００９２】
また、ソート設定画面２５３の“ＯＫ”ボタンを押すことで、このソート設定に従ってソートされた一覧表示をプロセス入力点一覧画面２１２において得ることができ、ソート設定画面２５３は閉じる。また、ソート設定画面２５３の“キャンセル”ボタンを押すことで、プロセス入力点一覧画面２１２の表示順序を変更することなく、ソート設定画面２５３は閉じる。
【００９３】
以上の説明では、ソートの項目として、一覧表示の対象となっている内容しか選択できないようになっているが、最終変化時刻などの他の項目を含めることもできる。また、プロセス入力点一覧画面２１２とは別の画面であるソート設定画面２５３でソート設定を行うようにしているが、プロセス入力点一覧画面２１２から設定を直接行えるようにすることもできる。また、ソート設定画面で“ＯＫ”ボタンを押した際にソートを行うようになっているが、値や状態などが変化するたびに動的にソートを行うこともできる。
【００９４】
また、第７の実施の形態のフィルタリング条件登録管理手段２１、第８の実施の形態のフィルタリング条件履歴管理手段２２、第９の実施の形態の初期フィルタリング条件管理手段２３、第１０の実施の形態のフィルタリング条件提示手段２４を設けるようにしても良い。
【００９５】
第１１の実施の形態によれば、監視員は一覧表示のソート設定を行い、特に注意して監視したい項目が上に表示されるようにすることができるので、監視員の負担が削減される。
【００９６】
図２７は、本発明の第１２の実施の形態に係わるプラント監視装置のブロック構成図である。この第１２の実施の形態は、図１２に示した第６の実施の形態に対し、プロセス入力手段１１よりのプロセス状態量に基づきプラント状態を示す系統図データを作成する系統図データ作成手段３１と、系統図データ作成手段３１から入力した系統図データを絞り込んで対話装置３に出力する系統図データフィルタ手段３２とを備えたものである。
【００９７】
系統図データ作成手段３１は、プロセス入力手段１１よりのプロセス状態量に基づき、プラント状態を示す系統図データを作成する。系統図データ作成手段３１で作成された系統図データは、系統図データフィルタ手段３２に入力される。そして、系統図データフィルタ手段３２は、系統図データ作成手段３１から入力した系統図データを絞り込んで対話装置３へと出力する。
【００９８】
図２８は第１２の実施の形態におけるフィルタリング条件がすべて“全部”である場合の系統図の説明図であり、図２９は第１２の実施の形態におけるカテゴリのフィルタリング条件を“ガス”と指定した場合の系統図の説明図である。
【００９９】
図２８の系統図画面２１９は、フィルタリング条件がすべて“全部”となっており、すべての情報が表示されている状態である。図２９の系統図画面２１９は、この状態から、監視員がカテゴリのフィルタリング条件を“ガス”とし、“フィルタリング”ボタンを押した状態である。図２９の系統図上では、“ガス”に関するシンボルのみが表示され、それ以外の情報は表示されなくなる。
【０１００】
以上の説明では、系統図データフィルタ手段３２として、説明ワイルドカードフィルタ手段１５、ＰＩＤワイルドカードフィルタ手段１４、単位フィルタ手段１６、カテゴリフィルタ手段１７、値フィルタ手段１８、状態フィルタ手段１９を有したものを示した場合を示しているが、これらのうちから２以上のフィルタ手段を選んで組み合わせるようにしても良いし、他のフィルタ手段を用いることも可能である。また、汎用フィルタ手段２０および一覧データ作成手段１２を備えた場合について説明したが、これらを省略し系統図だけを表示できるようにしても良い。
【０１０１】
第１２の実施の形態によれば、例えば、“ガス”などに絞った重要な系統図を別系統図画面として提供するのではなく、一つの系統図画面に集約されるので、画面数の削減や操作方法の統一が図れる。また、システムの開発量が削減されると共に監視員の負担が削減される。
【０１０２】
【発明の効果】
以上述べたように、本発明によれば、監視員はＰＩＤを知らなくても、プラント構成機器や信号種別などに絞った一覧表示を得ることができるので、監視員の負担が削減されると共に、記憶違いによる誤フィルタの可能性も削減される。また、既設物件のリプレースする場合などＰＩＤの番号体系を見直すことができない場合にも、ＰＩＤの検索を容易に行うことができる。
【図面の簡単な説明】
【図１】本発明の第１の実施の形態に係わるプラント監視装置のブロック構成図。
【図２】本発明の第１の実施の形態における検索キーにより抽出されたデータのプロセス入力点一覧画面の説明図。
【図３】本発明の本発明の第２の実施の形態に係わるプラント監視装置のブロック構成図。
【図４】本発明の第２の実施の形態におけるプロセス状態量の単位を指定して抽出されたデータのプロセス入力点一覧画面の説明図。
【図５】本発明の第３の実施の形態に係わるプラント監視装置のブロック構成図。
【図６】本発明の第３の実施の形態におけるプロセス状態量のカテゴリの指定がなくすべてのプロセス値が一覧表示されたプロセス入力点一覧画面の説明図。
【図７】本発明の第３の実施の形態におけるプロセス状態量のカテゴリを指定して抽出されたデータのプロセス入力点一覧画面の説明図。
【図８】本発明の第４の実施の形態に係わるプラント監視装置のブロック構成図。
【図９】本発明の第４の実施の形態におけるプロセス状態量の値範囲を指定して抽出されたデータのプロセス入力点一覧画面の説明図。
【図１０】本発明の第５の実施の形態に係わるプラント監視装置のブロック構成図。
【図１１】本発明の第５の実施の形態におけるプロセス状態量の状態を指定して抽出されたデータのプロセス入力点一覧画面の説明図。
【図１２】本発明の第６の実施の形態に係わるプラント監視装置のブロック構成図。
【図１３】本発明の第６の実施の形態におけるプロセス状態量のファイリング条件を指定して抽出されたデータのプロセス入力点一覧画面の説明図。
【図１４】本発明の第７の実施の形態に係わるプラント監視装置のブロック構成図。
【図１５】本発明の第７の実施の形態におけるプロセス入力点一覧画面の説明図。
【図１６】本発明の第７の実施の形態におけるフィルタリング条件管理画面の説明図。
【図１７】本発明の第８の実施の形態に係わるプラント監視装置のブロック構成図。
【図１８】本発明の第８の実施の形態におけるプロセス入力点一覧画面の説明図。
【図１９】本発明の第８の実施の形態におけるフィルタリング条件履歴画面の説明図。
【図２０】本発明の第９の実施の形態に係わるプラント監視装置のブロック構成図。
【図２１】本発明の第９の実施の形態におけるプロセス入力点一覧画面の説明図。
【図２２】本発明の第１０の実施の形態に係わるプラント監視装置のブロック構成図。
【図２３】本発明の第１０の実施の形態におけるプロセス入力点一覧画面の説明図。
【図２４】本発明の第１１の実施の形態に係わるプラント監視装置のブロック構成図。
【図２５】本発明の第１１の実施の形態におけるプロセス入力点一覧画面の説明図。
【図２６】本発明の第１１の実施の形態におけるソート設定画面の説明図。
【図２７】本発明の第１２の実施の形態に係わるプラント監視装置のブロック構成図。
【図２８】本発明の第１２の実施の形態におけるフィルタリング条件がすべて“全部”である場合の系統図の説明図。
【図２９】本発明の第１２の実施の形態におけるカテゴリのフィルタリング条件を“ガス”と指定した場合の系統図の説明図。
【符号の説明】
１…プラント、２…プラント監視装置、３…対話装置、１１…プロセス入力手段、１２…一覧データ作成手段、１３…状態量記憶手段、１４…ＰＩＤワイルドカードフィルタ手段、１５…説明ワイルドカードフィルタ手段、１６…単位フィルタ手段、１７…カテゴリフィルタ手段、１８…値フィルタ手段、１９…状態フィルタ手段、２０…汎用フィルタ手段、２１…フィルタリング条件登録管理手段、２２…フィルタリング条件履歴管理手段、２３…初期フィルタリング条件管理手段、２４…フィルタリング条件提示手段、２５…一覧データソート手段、３１…系統図データ作成手段、３２…系統図データフィルタ手段、５１…フィルタリング条件ＤＢ、５２…初期フィルタリング条件ＤＢ、２０２…プロセス入力点一覧画面（ＰＩＤワイルドカードフィルタ）、２０３…プロセス入力点一覧画面（説明ワイルドカードフィルタ）、２０４…プロセス入力点一覧画面（単位フィルタ）
２０５…プロセス入力点一覧画面（カテゴリフィルタ）、２０６…プロセス入力点一覧画面（値フィルタ）、２０７…プロセス入力点一覧画面（状態フィルタ）、２０８…プロセス入力点一覧画面（混合フィルタ）、２０９…プロセス入力点一覧画面（フィルタリング条件登録管理）、２１０…プロセス入力点一覧画面（フィルタリング条件履歴管理）、２１１…プロセス入力点一覧画面（初期フィルタリング条件管理）、２１２…プロセス入力点一覧画面（フィルタリング条件提案）
２１３…プロセス入力点一覧画面（ソート）、２１９…系統図画面、２５１…フィルタリング条件管理画面、２５２…フィルタリング条件履歴画面、２５３…ソート設定画面
【図１】
2005032002.tif 000003
【図２】
2005032002.tif 000004
【図３】
2005032002.tif 000005
【図４】
2005032002.tif 000006
【図５】
2005032002.tif 000007
【図６】
2005032002.tif 000008
【図７】
2005032002.tif 000009
【図８】
2005032002.tif 000010
【図９】
2005032002.tif 000011
【図１０】
2005032002.tif 000012
【図１１】
2005032002.tif 000013
【図１２】
2005032002.tif 000014
【図１３】
2005032002.tif 000015
【図１４】
2005032002.tif 000016
【図１５】
2005032002.tif 000017
【図１６】
2005032002.tif 000018
【図１７】
2005032002.tif 000019
【図１８】
2005032002.tif 000020
【図１９】
2005032002.tif 000021
【図２０】
2005032002.tif 000022
【図２１】
2005032002.tif 000023
【図２２】
2005032002.tif 000024
【図２３】
2005032002.tif 000025
【図２４】
2005032002.tif 000026
【図２５】
2005032002.tif 000027
【図２６】
2005032002.tif 000028
【図２７】
2005032002.tif 000029
【図２８】
2005032002.tif 000030
【図２９】
2005032002.tif 000031